【事件の表示】
　特許第２９９１１７５号「積層コンデンサ」の請求項１ないし１２に係る特許に対する特許異議の申立てについて、次のとおり決定する。
【結　論】
　訂正を認める。
　特許第２９９１１７５号の請求項１ないし４に係る特許を維持する。
【理　由】
１．手続の経緯
　本件特許第２９９１１７５号の請求項１ないし請求項１２に係る発明についての出願は、平成９年１１月１０日に特許出願され、平成１１年１０月１５日にその発明について特許権の設定登録がなされ、その後、藤井洋治およびティーディーケイ株式会社より特許異議の申立てがなされ、取消しの理由が通知され、その指定期間内である平成１２年１２月２５日に訂正請求がなされた後、再度取消の理由が通知され、その指定期間内である平成１３年４月１０日に意見書が提出されたものである。
　
２．訂正の適否
２−１．訂正の内容
（１）請求項１「相対向する２つの主面およびこれら主面間を連結する４つの側面を有する直方体状のコンデンサ本体を備え、
　前記コンデンサ本体は、前記主面の方向に延びる複数の誘電体層、およびコンデンサユニットを形成するように特定の前記誘電体層を介して互いに対向する少なくとも１対の第１および第２の内部電極を備え、
　前記第１および第２の内部電極は、それぞれ、前記側面のいずれか上にまで引き出される引出電極を形成しており、
　前記第１および第２の内部電極の少なくとも一方は、前記引出電極として、４つの前記側面のうち少なくとも３つの前記側面の各々上にまでそれぞれ引き出される少なくとも３つの引出電極を形成しており、
　前記引出電極が引き出された前記側面の各々上には、前記引出電極に電気的に接続される外部端子電極がそれぞれ設けられている、
積層コンデンサ。」とあるのを
「相対向する２つの主面およびこれら主面間を連結する４つの側面を有する直方体状のコンデンサ本体を備え、前記コンデンサ本体は、前記主面の方向に延びる複数の誘電体層、およびコンデンサユニットを形成するように特定の前記誘電体層を介して互いに対向する少なくとも１対の第１および第２の内部電極を備え、
　前記第１の内部電極は、前記４つの前記側面のうち３つの前記側面の各々上にまでそれぞれ引き出される少なくとも３つの第１の引出電極を形成しており、
　前記第２の内部電極は、前記４つの前記側面のうち３つの前記側面の各々上にまでそれぞれ引き出される少なくとも３つの第２の引出電極を形成しており、
　前記第１、第２の引出電極が引き出された前記側面の各々上には、前記第１、第２の引出電極に電気的に接続される第１、第２の外部端子電極がそれぞれ設けられ、
　前記４つの側面のうち一方の相対向する２つの側面の、一方に１つの第１の外部端子電極が配置され、他方に１つの前記第２の外部端子電極が配置され、
　前記４つの側面のうち他方の相対向する２つの側面にそれぞれ設けられた前記第２の外部端子電極の１つが、一方の相対向する２つの側面の一方に設けられた前記１つの第１の外部端子電極と隣り合うように配置され、
　前記４つの側面のうち他方の相対向する２つの側面にそれぞれ設けられた前記第１の外部端子電極の１つが、一方の相対向する２つの側面の他方に設けられた前記１つの第２の外部端子電極と隣り合うように配置されている、積層コンデンサ。」と訂正する。
（２）請求項２ないし請求項４、請求項６、請求項９ないし請求項１２を削除し、請求項５、請求項７、請求項８を順次繰り上げて、それぞれ請求項２、請求項３、請求項４と訂正する。
（３）発明の詳細な説明の記載中、【課題を解決するための手段】の欄の記載を特許請求の範囲の訂正に整合させる、すなわち、段落【００１６】ないし【００１９】の記載を請求項１ないし請求項４の訂正に整合させ、段落【００２０】ないし【００２３】を削除する。
（４）発明の詳細な説明の記載中の段落【００２４】第１〜２行および【図面の簡単な説明】の【図１】第１行の「この発明の第１の実施形態」とあるのを「この発明に関連する第１の実施形態」と訂正する。
（５）発明の詳細な説明の記載中の段落【００３７】第１〜２行および【図面の簡単な説明】の【図５】第１行の「この発明の第２の実施形態」とあるのを「この発明に関連する第２の実施形態」と訂正する。
（６）発明の詳細な説明の記載中の段落【００４４】第１〜２行および【図面の簡単な説明】の【図８】第１行の「この発明の第３の実施形態」とあるのを「この発明に関連する第３の実施形態」と訂正する。
（７）発明の詳細な説明の記載中の段落【００５５】第６〜７行および【図面の簡単な説明】の【図１２】第１行の「この発明の第４の実施形態」とあるのを「この発明に係る第４の実施形態」と訂正する。
　
２−２．訂正の目的の適否及び拡張・変更の存否
　上記訂正（１）および（２）は、特許請求の範囲の減縮を目的とするものであり、上記訂正（３）ないし（７）は明りょうでない記載の釈明を目的とするものである。また、上記訂正はいずれも新規事項の追加に該当せず、かつ、実質的に特許請求の範囲を拡張又は変更するものではない。
　
２−３．「訂正の適否」のむすび
　以上のとおりであるから、上記訂正は、特許法第１２０条の４第２項及び同条第３項において準用する特許法第１２６条第２項および第３項の規定に適合するので、当該訂正を認める。
　
３．特許異議申立てについて
３−１．本件発明
  本件請求項１ないし請求項４に係る発明（以下、「本件発明１」ないし「本件発明４」という）は、訂正明細書の特許請求の範囲の請求項１ないし請求項４に記載された以下のとおりのものである。
「【請求項１】　相対向する２つの主面およびこれら主面間を連結する４つの側面を有する直方体状のコンデンサ本体を備え、前記コンデンサ本体は、前記主面の方向に延びる複数の誘電体層、およびコンデンサユニットを形成するように特定の前記誘電体層を介して互いに対向する少なくとも１対の第１および第２の内部電極を備え、
　前記第１の内部電極は、前記４つの前記側面のうち３つの前記側面の各々上にまでそれぞれ引き出される少なくとも３つの第１の引出電極を形成しており、
　前記第２の内部電極は、前記４つの前記側面のうち３つの前記側面の各々上にまでそれぞれ引き出される少なくとも３つの第２の引出電極を形成しており、
　前記第１、第２の引出電極が引き出された前記側面の各々上には、前記第１、第２の引出電極に電気的に接続される第１、第２の外部端子電極がそれぞれ設けられ、
　前記４つの側面のうち一方の相対向する２つの側面の、一方に１つの第１の外部端子電極が配置され、他方に１つの前記第２の外部端子電極が配置され、
　前記４つの側面のうち他方の相対向する２つの側面にそれぞれ設けられた前記第２の外部端子電極の１つが、一方の相対向する２つの側面の一方に設けられた前記１つの第１の外部端子電極と隣り合うように配置され、
　前記４つの側面のうち他方の相対向する２つの側面にそれぞれ設けられた前記第１の外部端子電極の１つが、一方の相対向する２つの側面の他方に設けられた前記１つの第２の外部端子電極と隣り合うように配置されている、積層コンデンサ。
【請求項２】　前記４つの側面のうち他方の相対向する２つの側面に設けられた前記第１、第２の外部端子電極が交互に配置されている、請求項１に記載の積層コンデンサ。
【請求項３】　前記第１および第２の外部端子電極の少なくとも一方によって並列接続された複数の前記コンデンサユニットを形成するように、前記第１の内部電極と前記第２の内部電極との対向する部分の数は複数とされる、請求項１または２に記載の積層コンデンサ。
【請求項４】　前記第１および第２の内部電極の前記第１及び第２の引出電極は、前記４つの側面のうち他方の相対向する２つの側面の各々の２箇所に引き出されている、請求項１ないし３のいずれかに記載の積層コンデンサ。」
　
３−２．申立ての理由の概要
　申立人藤井洋治は、甲第１号証ないし甲第４号証を提出し、本件各請求項に係る発明は、甲第１号証ないし甲第４号証に記載された発明に基いて、当業者が容易に発明をすることができたものであるから、特許法第２９条第２項の規定に違反して特許がなされたものであり、したがって、本件各請求項に係る特許を取り消すべき旨主張している。
　申立人ティーディーケイ株式会社は、甲第１号証ないし甲第５号証を提出し、本件各請求項に係る発明は、甲第１号証ないし甲第５号証に記載された発明であるか、またはそれらに記載された発明に基いて、当業者が容易に発明をすることができたものであるから、特許法第２９条第１項第３号または同条第２項の規定に違反して特許がなされたものであり、したがって、本件各請求項に係る特許を取り消すべき旨主張している。
　
３−３．申立人が提出した甲各号証
　申立人藤井洋治が提出した甲第１号証(特開平６−１４０２８３号公報)は「高周波ノイズ除去用チップ型キャパシター」に係るもので、以下の点が記載されている。
・本発明の目的は、３端子チップ型キャパシターの接地に連結される内部電極３から流れる電流の向きが互いに逆になるよう内部電極を設計し、その電流により発生する電磁場を互いに相殺させることにより、高周波で内部電極の等価直列抵抗とインダクタンスを減少するための凸凹部が形成された内部電極を有する高周波ノイズ除去用チップ型キャパシターを提供すること、および、第２の接地に連結されている上・下層の内部電極に流れる電流の向きが互いに逆になるようその構造を設計し、高周波ノイズ除去時の電流により発生する電磁場を互いに相殺させることにより、高周波で内部電極の等価直列抵抗とインダクタンスを減少させる高周波ノイズ除去用チップ型キャパシターを提供することにあること、（明細書の段落【００１２】〜【００１３】）
・本発明は、信号線用内部電極と高周波ノイズの通路として利用する内部電極とを誘電体を介して多層に積層した構造であって、最上層及び最下層に積層した一組の接地用電極と、接地用電極間において多数層に積層した一組以上の信号線用電極および各組の信号線用電極間に夫々一つ以上ずつ積層した高周波ノイズ通路用電極を備えたチップ型キャパシターにおいて、前記高周波ノイズ通路用電極は、高周波ノイズ除去時に発生する電流により、形成される電磁場を互いに相殺するように内側へ陥没した凹凸部を形成した内部電極を有することを特徴とし、また、本発明は、信号線の一部として用いられる内部電極と接地に連結される内部電極が誘電体を間に置いて多数の層に積層されており、信号線に連結される外部端子及び接地線に連結される接地端子を備えている３端子チップ型キャパシターにおいて、最上層及び最下層に積層される一組の接地用電極手段；上記一組の接地用電極手段間に積層されるが、少くとも一組以上に積層されて信号線の一部分として用いられる信号線用電極手段；及び信号線用電極手段の一組を成す両信号線用電極手段間に夫々積層されるが、少くとも二つ以上の電極が夫々交互に相互逆方向接地端子にのみ連結されるように形成された高周波ノイズ通路用電極手段を備えている高周波ノイズ除去用チップ型キャパシターを提供し、また、両側の接地端子に夫々連結されて、最上層及び最下層に積層される一組の電極手段；一組の接地用電極手段間に積層されるが、少くとも一組以上に積層されて信号線の一部分として用いられる信号線用電極手段；及び信号線用電極手段の一組を成す両信号線用電極手段間に夫々一つずつ積層され、各組の信号線用電極手段間に積層された電極が夫々交互に相互逆方向接地端子にのみ連結されるように形成された高周波ノイズ通路用電極手段を備えている高周波ノイズ除去用チップ型キャパシターを提供すること、（同じく段落【００１４】〜【００１６】）
　申立人藤井洋治が提出した甲第２号証(特開平７−２０１６３５号公報)は「セラミックコンデンサ」に係るもので、以下の点が記載されている。
・電極と、セラミック誘電体層と、端子電極とを有するセラミックコンデンサであって、電極は、複数備えられ、隣接する電極のそれぞれがセラミック誘電体層を介して互いに重なっており、隣接する電極の一方は長さ方向の一端部がセラミック誘電体層の長さ方向の一辺に現れ、隣接する電極の他方は長さ方向の一端部がセラミック誘電体層の長さ方向の他辺に現れており、隣接する電極の少なくとも一つは、更に、幅方向の少なくとも一端部がセラミック誘電体層の幅方向の一辺側に現れており、端子電極は、セラミック誘電体層の長さ方向の両辺と、幅方向の一辺とにそれぞれ設けられ、電極に導通しているセラミックコンデンサ、（特許請求の範囲の請求項１）
・インダクタンス値（ＥＳＬ）の値が小さくなるほど高くなるから、高周波特性を改善するには、インダクタンス値（ＥＳＬ）の値を小さくしなければならないこと、（明細書の段落【０００３】）
・本発明の課題の一つは、共振周波数が大きく、高周波領域で使用した時に、良好な高周波特性を示すセラミックコンデンサを提供することであること、（明細書の段落【０００９】）
・本発明に係る積層チップコンデンサは、ＬＣＲ直列回路であって、端子電極３１、３２の他に、インダクタンス値ＥＳＬの途中から端子３３、３４を引き出した複数端子構造の積層チップコンデンサとして表現できること、（明細書の段落【００２７】）
・図面図１、図２には、長さ方向の一端部と幅方向の両端に引き出される内部電極１１、１３と、長さ方向の他端部にのみ引き出される内部電極１２、１４とが誘電体層を介して交互に積層され、それぞれの辺には引き出された内部電極と導通する端子電極が形成されている様子が示されていること、（図１〜図２）
・図面図７には、幅方向の一端の複数個所と長さ方向の一端部に引き出される内部電極１１、長さ方向の他端部にのみ引き出される内部電極１２、幅方向の他端の複数個所と長さ方向の一端部に引き出される内部電極１３、長さ方向の他端部にのみ引き出される内部電極１４が誘電体層を介して順次積層されている様子が示されていること、幅方向に引き出された複数個所の端部の選択によって、インダクタンス値ＥＳＬが定まること、（図７および明細書段落【００３６】）
　申立人藤井洋治が提出した甲第３号証(特開平９−２１４２７３号公報)は「積層型高周波ローパスフィルタ」に係るもので、以下の点が記載されている。
・図面図１、図２には、アース電極１１、同一面上に配置される第１〜第３のコンデンサ電極７、８、９、同一面上に配置される第１のコイル電極の一部３および第２のコイル電極の一部４、同一面状に配置される第１のコイル電極の一部１および第２のコイル電極の一部２、アース電極１０が誘電体層を介して順次積層され、アース電極１０、１１は、いずれも長さ方向の両端部と、幅方向一端の中央よりの２個所および幅方向他端の端部よりの２個所に引き出されており、第１のコンデンサ電極７は、幅方向一端の端部よりの１個所に引き出され、第２のコンデンサ電極８は、幅方向他端の中央よりの２個所に引き出され、第３のコンデンサ電極９は、幅方向一端の第１のコンデンサ電極７の引出し部と対称的な位置である端部よりの１個所に引き出されており、対称的に配置される第１のコイル電極の一部３および第２のコイル電極の一部４は、幅方向他端の中央よりにそれぞれ引き出され、対称的に配置される第１のコイル電極の一部１および第２のコイル電極の一部２は、幅方向一端の端部よりにそれぞれ引き出され、アース電極１０、１１は、長さ方向の両端部の外部電極２０ｉ、２０ｊ、幅方向一端の中央よりの２個所の外部電極２０ｆ、２０ｇ、幅方向他端の端部よりの２個所の外部電極２０ａ、２０ｄに接続され、第１のコンデンサ電極７および第１のコイル電極の一部１は幅方向一端の端部よりの外部電極２０ｅに接続され、第２のコンデンサ電極８および第１のコイル電極の一部３および第２のコイル電極の一部４は、幅方向他端の中央よりの２個所の外部電極２０ｂ、２０ｃに接続され、第３のコンデンサ電極９第２のコイル電極の一部２は、幅方向一端の端部よりの外部電極２０ｈに接続される様子が示されていること、（図１、図２）
　申立人藤井洋治が提出した甲第４号証(４０ｔｈ　ＥＬＥＣＴＲＯＮＩＣ　ＣＯＭＰＯＮＥＮＴＳ　＆　ＴＥＣＨＮＯＬＯＧＹ　ＣＯＮＦＥＲＥＮＣＥ　１９９０　ＰＯＳＴＥＲ　ＰＲＥＳＥＮＴＡＴＩＯＮＳ　（１９９０年５月）第１０１４〜１０２３頁）は、「Ａｄｖａｎｃｅｄ　Ｄｅｃｏｕｐｌｉｎｇ　ｕｓｉｎｇ　Ｃｅｒａｍｉｃ　ＭＬＣ　Ｃａｐａｃｉｔｏｒｓ」と題するもので、以下の点が記載されている。
・図２３には、対向する両側面に複数のピンが配列し、隣接するピンが逆極性であるようなピン配置のキャパシタが示されており、このようなピン配置とすることにより電流経路が短くなることによってＥＳＬおよびＥＳＲの双方が低減すること、
・図２４には、平面視円形で、その外周上に隣接するピンが逆極性であるように１０対のピンが等間隔に配置されたキャパシタが示されており、このようなピン配置とすることにより、全てのピンの間の電流の流れを等しく分割し、電荷移動のための極端に短い経路を許容すること、
　申立人ティーディーケイ株式会社の提出した甲第１号証(特開平２−２５６２１６号公報）は「多層キャパシタ及び前記キャパシタを含む電子部品構造体」に係るもので、以下の点が記載されている。
・図面第３図、第４図には、相対向する２つの主面の方向に延びる２つのグループの内部電極が非導電シートを介して交互に積層されており、一方のグループの内部電極は主面間を連結する４つの側面の１つに２個所でタブ２４、２６として引き出され、他方のグループの内部電極は同じ側面に２個所でタブ３０、３１としてして引き出され、各タブは交互に配列されており、各タブには金属アイランド部３４および付加的金属部３６が形成されている様子が示されていること、
・図面第５図、第６図には、相対向する２つの主面の方向に延びる２つのグループの内部電極が非導電シートを介して交互に積層されており、一方のグループの内部電極は主面間を連結する４つの側面のうちの対向する側面にそれぞれ２個所でタブ２０、４３として引き出され、他方のグループの内部電極は同じ対向する側面にそれぞれ２個所でタブとしてして引き出され、各タブは交互に配列されており、一方の側面に引き出された各タブには金属アイランド部３４および付加的金属部３６が形成されており、他方の側面に引き出されたタブ４３には金属アイランド部４３および付加的金属部４６が形成されている様子が示されていること、
・第３図には２つのグループしか示されないが、３つ以上のグループがあってもよいこと、（第５頁左下欄第３〜４行）
・タブの数は２つに限らず他の数でもよいこと、（第６頁右上欄第１７行〜同頁左下欄第２行）
　申立人ティーディーケイ株式会社の提出した甲第２号証は、申立人藤井洋治が提出した甲第２号証(特開平７−２０１６３５号公報)であり、前記した点が記載されている。
　申立人ティーディーケイ株式会社の提出した甲第３号証は、申立人藤井洋治が提出した甲第４号証(４０ｔｈ　ＥＬＥＣＴＲＯＮＩＣ　ＣＯＭＰＯＮＥＮＴＳ　＆　ＴＥＣＨＮＯＬＯＧＹ　ＣＯＮＦＥＲＥＮＣＥ　１９９０　ＰＯＳＴＥＲ　ＰＲＥＳＥＮＴＡＴＩＯＮＳ　（１９９０年５月）第１０１４〜１０２３頁）であり、前記した点が記載されている。
　申立人ティーディーケイ株式会社の提出した甲第４号証は、申立人藤井洋治が提出した甲第３号証(特開平９−２１４２７３号公報)であり、前記した点が記載されている。
　申立人ティーディーケイ株式会社の提出した甲第５号証（特開平８−１７２０２６号公報）は、「コンデンサ」に係るものであり、以下の点が記載されている。
・誘電体板の両主面にコの字形状の対向電極が逆向きに形成され、外部引き出し電極に点対称位置で接続されること、（特許請求の範囲の請求項１）
・図面図０１には、対向電極２、３は平面視形状がコの字状となっていて互いに誘電体板１を介して逆向きに配設される様子が示され、対向電極２のコの字の手前側の脚の端部に４と、また対向電極３のコの字の奥側の脚の端部に５と符号が付されており、第５欄第１２〜１４行の記載によると、４は外部引き出し電極（図示せず）との接続部を示し、５は対向電極３と外部引き出し電極との接続部を示していること、
　
３−４．対比・判断
　本件発明１は、（ａ）第１の内部電極は、４つの側面のうち３つの側面の各々上にまでそれぞれ引き出される少なくとも３つの第１の引出電極を形成しており、第２の内部電極は、４つの側面のうち３つの側面の各々上にまでそれぞれ引き出される少なくとも３つの第２の引出電極を形成している、（ｂ）４つの側面のうち一方の相対向する２つの側面の、一方に１つの第１の外部端子電極が配置され、他方に１つの第２の外部端子電極が配置されている、（ｃ）４つの側面のうち他方の相対向する２つの側面にそれぞれ設けられた第２の外部端子電極の１つが、一方の相対向する２つの側面の一方に設けられた１つの第１の外部端子電極と隣り合うように配置され、４つの側面のうち他方の相対向する２つの側面にそれぞれ設けられた第１の外部端子電極の１つが、一方の相対向する２つの側面の他方に設けられた１つの第２の外部端子電極と隣り合うように配置されている、点を特徴とするものであるが、両申立人の提出した甲各号証に記載されたものはいずれも、これらの特徴を備えておらず、かつ前記甲各号証にはこれを示唆する記載もない。
　すなわち、申立人藤井洋治が提出した甲第１号証に記載されたキャパシターでは、内部電極は、長手方向の両端にのみ引き出されているもの、幅方向の一方の端部にのみ引き出されているもの、および幅方向の両端にのみ引き出されているものしか示されておらず、本件発明１の前記（ａ）〜（ｃ）の構成について記載も示唆もない。
　申立人藤井洋治が提出した甲第２号証（申立人ティーディーケイ株式会社の提出した甲第２号証）の図１、図２に記載されたコンデンサでは、その内部電極は、長手方向の一方の端部にのみ引き出されているものおよび長手方向の他方の端部と幅方向の両端に引き出されているものしか示されておらず、同号証の図７に記載されたコンデンサでは、その内部電極は、長手方向の一方の端部にのみ引き出されているもの、長手方向の他方の端部と幅方向の一方の端部の複数個所に引き出されているものおよび長手方向の他方の端部と幅方向の他方の端部の複数個所に引き出されているものしか示されておらず、いずれも、本件発明１の前記（ａ）〜（ｃ）の構成を備えていない。同号証の特許請求の範囲の請求項１には、「隣接する電極の少なくとも一つは、更に、幅方向の少なくとも一端部がセラミック誘電体層の幅方向の一辺側に現れており」なる記載があって、例えば、図１、図２に記載されたコンデンサにおいて、長手方向の一方の端部にのみ引き出されている内部電極が、更に幅方向の両端にも引き出されるものをも包含するような記載があるが、その場合の引出し位置相互の関係がどのようなものとなるか、またその場合の作用効果については何ら具体的な記載がなく、本件発明１の前記（ａ）〜（ｃ）について示唆をするものであるとは認められない。
　申立人藤井洋治が提出した甲第３号証（申立人ティーディーケイ株式会社の提出した甲第４号証）の図１、図２に記載されたローパスフィルタでは、アース電極は長手方向の両端部と幅方向両端のそれぞれ２個所とに引き出されており、第１〜第３のコンデンサ電極は幅方向の一方の端部もしくは幅方向の他方の端部にのみ引き出されていて、いずれも、本件発明１の前記（ａ）〜（ｃ）の構成について記載も示唆もない。
　申立人藤井洋治が提出した甲第４号証（申立人ティーディーケイ株式会社の提出した甲第３号証）の図２３および図２４に記載されたキャパシタは、外部電極となるピンの配置のみ記載されており、内部電極がどのように配置され、内部電極とピンとがどのように接続されるのか不明であるが、外部電極となるピン配置についてのみ比較しても、図２３に記載されたキャパシタでは、長手方向両端にピンが配置されていないことから、本件発明１の前記（ａ）〜（ｃ）の構成を備えていないことは明らかであり、また、図２４に記載されたキャパシタは、平面視円形状でその外周上にピンが配置されているから、そもそも主面間を連結する４つの側面が存在せず、本件発明１の前記（ａ）〜（ｃ）の構成を備えていないことは明らかである。
　申立人ティーディーケイ株式会社の提出した甲第１号証に記載されたキャパシタでは、内部電極は、幅方向の一端の複数個所に引き出されるか、あるいは、幅方向両端のそれぞれ複数個所に引き出されるものしか示されておらず、本件発明１の前記（ａ）〜（ｃ）の構成について記載も示唆もない。
　申立人ティーディーケイ株式会社の提出した甲第５号証の図０１に記載されたコンデンサでは、対向電極２、３と誘電体板の外形寸法が同じで、４つの側面全てに対向電極が露出しているが、外部電極は長手方向両端のそれぞれ１個所にのみ設けられているから、本件発明１の前記（ａ）〜（ｃ）の構成を備えているとはいえない。
　そして、本件発明１は前記構成を備えることにより、内部電極上での電流の流れを種々の方向に向けることによって磁束を効果的に相殺することができるとともに、電流長を短くすることができるので、ＥＳＬを小さくすることができるという、申立人の提出した各号証の記載からは予測し得ない作用効果を奏するものと認められる。
　したがって、本件発明１は、申立人の提出した各号証のいずれかに記載された発明であるとは認められず、また、申立人の提出した各号証の記載に基いて、当業者が容易に発明をすることができたものであると認めることもできない。
　本件請求項２ないし請求項４は、いずれも本件請求項１を直接または間接的に引用する請求項であって、本件発明２ないし本件発明４は、いずれも本件発明１の構成の全てを備えているから、本件発明１におけると同様の理由により、申立人の提出した各号証のいずれかに記載された発明であるとは認められず、また、申立人の提出した各号証に基いて、当業者が容易に発明をすることができたものであると認めることもできない。
　
３−５．むすび
　以上のとおりであるから、特許異議申立ての理由及び証拠によっては本件請求項１ないし請求項４に係る特許を取り消すことはできない。
　また、他に本件請求項１ないし請求項４に係る特許を取り消すべき理由を発見しない。
　よって、結論のとおり決定する。
【異議決定日】
平成１３年５月１４日（２００１．５．１４）
【訂正の要旨】
訂正の要旨
（１）特許２９９１１７５号の明細書中特許請求の範囲の請求項１
「相対向する２つの主面およびこれら主面間を連結する４つの側面を有する直方体状のコンデンサ本体を備え、
　前記コンデンサ本体は、前記主面の方向に延びる複数の誘電体層、およびコンデンサユニットを形成するように特定の前記誘電体層を介して互いに対向する少なくとも１対の第１および第２の内部電極を備え、
　前記第１および第２の内部電極は、それぞれ、前記側面のいずれか上にまで引き出される引出電極を形成しており、
　前記第１および第２の内部電極の少なくとも一方は、前記引出電極として、４つの前記側面のうち少なくとも３つの前記側面の各々上にまでそれぞれ引き出される少なくとも３つの引出電極を形成しており、
　前記引出電極が引き出された前記側面の各々上には、前記引出電極に電気的に接続される外部端子電極がそれぞれ設けられている、
積層コンデンサ。」とあるのを、特許請求の範囲の減縮を目的として、
「相対向する２つの主面およびこれら主面間を連結する４つの側面を有する直方体状のコンデンサ本体を備え、前記コンデンサ本体は、前記主面の方向に延びる複数の誘電体層、およびコンデンサユニットを形成するように特定の前記誘電体層を介して互いに対向する少なくとも１対の第１および第２の内部電極を備え、
　前記第１の内部電極は、前記４つの前記側面のうち３つの前記側面の各々上にまでそれぞれ引き出される少なくとも３つの第１の引出電極を形成しており、
　前記第２の内部電極は、前記４つの前記側面のうち３つの前記側面の各々上にまでそれぞれ引き出される少なくとも３つの第２の引出電極を形成しており、
　前記第１、第２の引出電極が引き出された前記側面の各々上には、前記第１、第２の引出電極に電気的に接続される第１、第２の外部端子電極がそれぞれ設けられ、
　前記４つの側面のうち一方の相対向する２つの側面の、一方に１つの第１の外部端子電極が配置され、他方に１つの前記第２の外部端子電極が配置され、
　前記４つの側面のうち他方の相対向する２つの側面にそれぞれ設けられた前記第２の外部端子電極の１つが、一方の相対向する２つの側面の一方に設けられた前記１つの第１の外部端子電極と隣り合うように配置され、
　前記４つの側面のうち他方の相対向する２つの側面にそれぞれ設けられた前記第１の外部端子電極の１つが、一方の相対向する２つの側面の他方に設けられた前記１つの第２の外部端子電極と隣り合うように配置されている、積層コンデンサ。」と訂正する。
（２）特許請求の範囲の減縮を目的として、請求項２ないし請求項４、請求項６、請求項９ないし請求項１２を削除し、請求項５、請求項７、請求項８を順次繰り上げて、それぞれ請求項２、請求項３、請求項４と訂正する。
（３）発明の詳細な説明の記載中、【課題を解決するための手段】の欄の記載を明りょうでない記載の釈明を目的として特許請求の範囲の訂正に整合させる、すなわち、段落【００１６】ないし【００１９】の記載を請求項１ないし請求項４の訂正に整合させ、段落【００２０】ないし【００２３】を削除する。
（４）発明の詳細な説明の記載中の段落【００２４】第１〜２行および【図面の簡単な説明】の【図１】第１行の「この発明の第１の実施形態」とあるのを明りょうでない記載の釈明を目的として「この発明に関連する第１の実施形態」と訂正する。
（５）発明の詳細な説明の記載中の段落【００３７】第１〜２行および【図面の簡単な説明】の【図５】第１行の「この発明の第２の実施形態」とあるのを明りょうでない記載の釈明を目的として「この発明に関連する第２の実施形態」と訂正する。
（６）発明の詳細な説明の記載中の段落【００４４】第１〜２行および【図面の簡単な説明】の【図８】第１行の「この発明の第３の実施形態」とあるのを明りょうでない記載の釈明を目的として「この発明に関連する第３の実施形態」と訂正する。
（７）発明の詳細な説明の記載中の段落【００５５】第６〜７行および【図面の簡単な説明】の【図１２】第１行の「この発明の第４の実施形態」とあるのを明りょうでない記載の釈明を目的として「この発明に係る第４の実施形態」と訂正する。
（５４）【発明の名称】
積層コンデンサ
（５７）【特許請求の範囲】
　【請求項１】　相対向する２つの主面およびこれら主面間を連結する４つの側面を有する直方体状のコンデンサ本体を備え、前記コンデンサ本体は、前記主面の方向に延びる複数の誘電体層、およびコンデンサユニットを形成するように特定の前記誘電体層を介して互いに対向する少なくとも１対の第１および第２の内部電極を備え、
　前記第１の内部電極は、前記４つの前記側面のうち３つの前記側面の各々上にまでそれぞれ引き出される少なくとも３つの第１の引出電極を形成しており、
　前記第２の内部電極は、前記４つの前記側面のうち３つの前記側面の各々上にまでそれぞれ引き出される少なくとも３つの第２の引出電極を形成しており、
　前記第１、第２の引出電極が引き出された前記側面の各々上には、前記第１、第２の引出電極に電気的に接続される第１、第２の外部端子電極がそれぞれ設けられ、
　前記４つの側面のうち一方の相対向する２つの側面の、一方に１つの第１の外部端子電極が配置され、他方に１つの前記第２の外部端子電極が配置され、
　前記４つの側面のうち他方の相対向する２つの側面にそれぞれ設けられた前記第２の外部端子電極の１つが、一方の相対向する２つの側面の一方に設けられた前記１つの第１の外部端子電極と隣り合うように配置され、
　
前記４つの側面のうち他方の相対向する２つの側面にそれぞれ設けられた前記第１の外部端子電極の１つが、一方の相対向する２つの側面の他方に設けられた前記１つの第２の外部端子電極と隣り合うように配置されて
　【請求項２】　
前記４つの側面のうち他方の相対向する２つの側面に設けられた前記第１、第２の外部端子電極が交互に配置されている、
　【請求項３】　
前記第１および第２の外部端子電極の少なくとも一方によって並列接続された複数の前記コンデンサユニットを形成するように、前記第１の内部電極と前記第２の内部電極との対向する部分の数は複数とされる、
１または
　【請求項４】　
前記第１および第２の内部電極の前記第１及び第２の引出電極は、前記４つの側面のうち他方の相対向する２つの側面の各々の２箇所に引き出されている、
１ないし
【発明の詳細な説明】
　【０００１】
　【発明の属する技術分野】
　この発明は、積層コンデンサに関するもので、特に、高周波回路において有利に適用され得る積層コンデンサに関するものである。
　【０００２】
　【従来の技術】
　この発明にとって興味ある従来の積層コンデンサとして、たとえば特開平２−２５６２１６号公報に記載されたものがある。ここでは、図１５ないし図１７に示すような積層コンデンサ１が開示されている。図１５は、積層コンデンサ１の外観を示す平面図であり、図１６は、積層コンデンサ１の内部構造を第１の断面をもって示す平面図であり、図１７は、積層コンデンサ１の内部構造を第１の断面とは異なる第２の断面をもって示す平面図である。
　【０００３】
　積層コンデンサ１は、図１５にその外観を示すように、相対向する２つの主面２および３ならびにこれら主面２および３間を連結する４つの側面４、５、６および７を有する直方体状のコンデンサ本体８を備えている。コンデンサ本体８は、主面２および３の方向に延びる、たとえばセラミック誘電体からなる複数の誘電体層９、ならびにコンデンサユニットを形成するように特定の誘電体層９を介して互いに対向する少なくとも１対の第１および第２の内部電極１０および１１を備えている。
　【０００４】
　第１の内部電極１０が図１６に示されているように、図１６は、第１の内部電極１０が通る断面を示している。また、第２の内部電極１１が図１７に示されているように、図１７は、第２の内部電極１１が通る断面を示している。この積層コンデンサ１は、高周波域での使用に適するように、等価直列インダクタンス（ＥＳＬ）の低減化が図られている。
　【０００５】
　そのため、第１の内部電極１０は、相対向する２つの側面４および６の各々上までそれぞれ引き出される４つの第１の引出電極１２、１３、１４および１５を形成している。より詳細には、引出電極１２および１３は側面４上にまで引き出され、また、引出電極１４および１５は、側面６上にまで引き出されている。また、上述の第１の引出電極１２〜１５が引き出された側面４および６の各々上には、これら第１の引出電極１２〜１５に電気的に接続される第１の外部端子電極１６、１７、１８および１９がそれぞれ設けられている。すなわち、外部端子電極１６および１７は、側面４上において引出電極１２および１３にそれぞれ接続され、外部端子電極１８および１９は、側面６上において引出電極１４および１５にそれぞれ接続されている。
　【０００６】
　他方、第２の内部電極１１は、相対向する２つの側面４および６の各々上までそれぞれ引き出される４つの第２の引出電極２０、２１、２２および２３を形成している。より詳細には、引出電極２０および２１は、側面４上であって上述した第１の引出電極１２および１３が引き出された位置とは異なる位置にまで引き出され、また、引出電極２２および２３は、側面６上であって上述した第１の引出電極１４および１５が引き出された位置とは異なる位置にまで引き出されている。
　【０００７】
　また、上述の第２の引出電極２０〜２３が引き出された側面４および６の各々上には、これら第２の引出電極２０〜２３に電気的に接続される第２の外部端子電極２４、２５、２６および２７がそれぞれ設けられている。すなわち、外部端子電極２４および２５は、前述した第１の外部端子電極１６および１７が設けられた位置とは異なる位置において側面４上で引出電極２０および２１にそれぞれ接続され、外部端子電極２６および２７は、前述した第１の外部端子電極１８および１９が設けられた位置とは異なる位置において側面６上で引出電極２２および２３にそれぞれ接続されている。
　【０００８】
　このようにして、２つの側面４および６上にあっては、複数の第１の外部端子電極１６〜１９と複数の第２の外部端子電極２４〜２７とが交互に隣り合うように配置されている。
　【０００９】
　【発明が解決しようとする課題】
　図１８には、この積層コンデンサ１において流れる電流が、図１７に相当する平面図をもって図解的に示されている。図１８において、第１の内部電極１０が破線で示され、第２の内部電極１１が実線で示され、これらが重ねられた状態で図示されている。
　【００１０】
　図１８において、矢印によって電流の典型的な経路および方向が示されている。これら矢印で示されるように、電流は、図示した状態あるいは時点では、第２の外部端子電極２４〜２７の各々から第１の外部端子電極１６〜１９の各々に向かって流れているものとする。なお、当然のことながら、交流の場合には逆に流れる時点もある。
　【００１１】
　電流が流れたとき、周知のように、電流の方向によってその方向が決まる磁束が誘起され、そのため自己インダクタンス成分が生じる。図１８において、○で示した内部電極１０および１１の中央部２８では、電流は種々の方向へ流れるので、電流によって誘起される磁束は相殺されるため、磁束の発生はほとんどない。
　【００１２】
　また、外部端子電極１６〜１９ならびに２４〜２７の各々の近傍では、電流は、第１の外部端子電極１６〜１９の各々へ向かい、また、第２の外部端子電極２４〜２７の各々から離れる傾向にあるが、略１８０度の広がりをもって図１８による左方向へ流れる電流と右方向へ流れる電流とが存在する。そのため、磁束はその大部分が相殺され、その結果、深刻な磁束の発生をもたらすことはない。
　【００１３】
　したがって、図１５ないし図１７に示した積層コンデンサ１は、上述した点において、自己インダクタンスの発生が抑制され、低ＥＳＬ化が図られている。しかしながら、いずれの外部端子電極をも位置させていない側面５および７の各々の近傍、すなわち、図１８においてハッチングを施して示した左右の各端部２９においては、電流はほぼ一定の方向へ流れるため、磁束の相殺は実質的に生じず、あくまでも自己インダクタンスの発生および増大をもたらしている。
　【００１４】
　したがって、図１５ないし図１７に示した積層コンデンサ１において図られた低ＥＳＬ化のための対策は、効果の点において、未だ不十分であると言える。そこで、この発明の目的は、低ＥＳＬ化をより効果的に図り得るように改良された積層コンデンサを提供しようとすることである。
　【００１５】
　【課題を解決するための手段】
　この発明に係る積層コンデンサは、相対向する２つの主面およびこれら主面間を連結する４つの側面を有する直方体状のコンデンサ本体を備えている。また、このコンデンサ本体は、主面の方向に延びる複数の誘電体層、およびコンデンサユニットを形成するように特定の誘電体層を介して互いに対向する少なくとも１対の第１および第２の内部電極を備え、これら第１および第２の内部電極は、それぞれ、側面のいずれか上にまで引き出される引出電極を形成している。
　【００１６】
　このような積層コンデンサにおいて、上述した技術的課題を解決するため、この発明では、次のように構成される。すなわち、
第１の内部電極は、４つの側面のうち３つの側面の各々上にまでそれぞれ引き出される少なくとも３つの第１の引出電極を形成しており、第２の内部電極は、４つの側面のうち３つの側面の各々上にまでそれぞれ引き出される少なくとも３つの第２の引出電極を形成
しており、第１、第２の引出電極が引き出された側面の各々上には、第１、第２の引出電極に電気的に接続される第１、第２の外部端子電極がそれぞれ設けられ、４つの側面のうち一方の相対向する２つの側面の、一方に１つの第１の外部端子電極が配置され、他方に１つの第２の外部端子電極が配置され、４つの側面のうち他方の相対向する２つの側面にそれぞれ設けられた第２の外部端子電極の１つが、一方の相対向する２つの側面の一方に設けられた前記１つの第１の外部端子電極と隣り合うように配置され、４つの側面のうち他方の相対向する２つの側面にそれぞれ設けられた第１の外部端子電極の１つが、一方の相対向する２つの側面の他方に設けられた１つの第２の外部端子電極と隣り合うように配置されている。
　【００１７】
　この発明において、好ましくは、上述の
４つの側面のうち他方の相対向する２つの側面に設けられた前記第１、第２の外部端子電極が交互に配置されている
　【００１８】
　この発明において、より好ましくは、
第１および第２の外部端子電極の少なくとも一方によって並列接続された複数のコンデンサユニットを形成するように、第１の内部電極と第２の内部電極との対向する部分の数は複数とされてもよい。
　【００１９】
　また、好ましくは、
第１および第２の内部電極の前記第１及び第２の引出電極は、４つの側面のうち他方の相対向する２つの側面の各々の２箇所に引き出されている。
　【００２０】
　【００２１】
　【００２２】
　【００２３】
　【００２４】
　【発明の実施の形態】
　図１ないし図３は、この発明
に関連する
　【００２５】
　積層コンデンサ３１は、図１にその外観を示すように、前述した積層コンデンサ１と同様、相対向する２つの主面３２および３３ならびにこれら主面３２および３３間を連結する４つの側面３４、３５、３６および３７を有する直方体状のコンデンサ本体３８を備えている。コンデンサ本体３８は、主面３２および３３の方向に延びる、たとえばセラミック誘電体からなる複数の誘電体層３９、ならびにコンデンサユニットを形成するように特定の誘電体層３９を介して互いに対向する少なくとも１対の第１および第２の内部電極４０および４１を備えている。
　【００２６】
　図２は、第１の内部電極４０が通る断面を示し、また、図３は、第２の内部電極４１が通る断面を示している。第１の内部電極４０は、４つの側面３４〜３７の各々上にまでそれぞれ引き出される６つの第１の引出電極４２、４３、４４、４５、４６および４７を形成している。より詳細には、引出電極４２および４３は、側面３４上にまで引き出され、引出電極４４は、側面３５上にまで引き出され、引出電極４５および４６は、側面３６上にまで引き出され、引出電極４７は、側面３７上にまで引き出されている。
　【００２７】
　また、上述の第１の引出電極４２〜４７が引き出された側面３４〜３７の各々上には、これら第１の引出電極４２〜４７に電気的に接続される第１の外部端子電極４８、４９、５０、５１、５２および５３がそれぞれ設けられている。すなわち、外部端子電極４８および４９は側面３４上において引出電極４２および４３にそれぞれ接続され、外部端子電極５０は、側面３５上において引出電極４４に接続され、外部端子電極５１および５２は、側面３６上において引出電極４５および４６にそれぞれ接続され、外部端子電極５３は側面３７上において引出電極４７に接続されている。
　【００２８】
　他方、第２の内部電極４１は、４つの側面３４〜３７の各々上にまでそれぞれ引き出される６つの第２の引出電極５４、５５、５６、５７、５８および５９を形成している。より詳細には、引出電極５４および５５は、側面３４上にまで引き出され、引出電極５６は、側面３５上にまで引き出され、引出電極５７および５８は、側面３６上にまで引き出され、引出電極５９は、側面３７上にまで引き出されている。
　【００２９】
　上述した第２の引出電極５４〜５９がそれぞれ引き出される側面３４〜３７上での各位置は、第１の引出電極４２〜４７がそれぞれ引き出される各位置とは異ならされている。また、上述の第２の引出電極５４〜５９が引き出された側面３４〜３７の各々上には、これら第２の引出電極５４〜５９に電気的に接続される第２の外部端子電極６０、６１、６２、６３、６４および６５がそれぞれ、第１の外部端子電極４８〜５３とは異なる位置に設けられている。外部端子電極６０および６１は、側面３４上において引出電極５４および５５にそれぞれ接続され、外部端子電極６２は、側面３５上において引出電極５６に接続され、外部端子電極６３および６４は、側面３６上において引出電極５７および５８にそれぞれ接続され、外部端子電極６５は側面３７上において引出電極５９に接続されている。
　【００３０】
　このようにして、４つの側面３４〜３７の各々上において、すべての第１の外部端子電極４８〜５３は、第２の外部端子電極６０〜６５と隣り合うように配置されている。また、別の観点から見ると、すべての外部端子電極４８〜５３および６０〜６５のいずれもが、これに接続される内部電極を共通にするものとは隣り合わないように配置されている。特に、２つの第１の引出電極４２および４３ならびに２つの第２の引出電極５４および５５が引き出された側面３４上にあっては、第１の外部端子電極４８および４９と第２の外部端子電極６０および６１とが交互に配置され、また、２つの第１の引出電極４５および４６ならびに２つの第２の引出電極５７および５８が引き出された側面３６上にあっては、第１の外部端子電極５１および５２と第２の外部端子電極６３および６４とが交互に配置されている。さらに、４つの側面３４〜３７を通して見たときも、第１の外部端子電極４８〜５２と第２の外部端子電極６０〜６５とが交互に配置されている。
　【００３１】
　このような積層コンデンサ３１において、より大きな容量を得るため、第１の内部電極４０と第２の内部電極４１との対向する部分の数は複数とされ、複数のコンデンサユニットを形成するようにされる。すなわち、第１および第２の内部電極４０および４１のいずれか一方がコンデンサ本体３８内において１つ形成されるとき、第１および第２の内部電極４０および４１のいずれか他方がこれを挟むように２つ形成されたり、さらに大きい容量を得ようとするときには、第１および第２の内部電極４０および４１の組の数が複数とされる。このようにして第１の内部電極４０と第２の内部電極４１との対向する部分の数が複数とされたときには、複数のコンデンサユニットは、第１の外部端子電極４８〜５３および第２の外部端子電極６０〜６５の少なくとも一方によって並列接続される。
　【００３２】
　なお、外部端子電極４８〜５３および６０〜６５は、それぞれ、側面３４〜３７上だけでなく、両主面３２および３３の各一部にまで延びるように形成されている。図４は、前述した図１８に対応する図であって、この積層コンデンサ３１において流れる電流を、図３に相当する平面図をもって図解的に示している。図４において、第１の内部電極４０が破線で示され、第２の内部電極４１が実線で示され、これらが重ねられた状態で図示されている。
　【００３３】
　図４において、矢印によって、その典型的な経路および方向が示されるように、電流は、図示した状態あるいは時点では、第２の外部端子電極６０〜６５の各々から第１の外部端子電極４８〜５３の各々に向かって流れているものとする。このように、電流が流れたとき、周知のように、電流の方向によってその方向が決まる磁束が誘起され、そのため自己インダクタンス成分が生じる。
　【００３４】
　図４を参照して、○で示した内部電極４０および４１の中央部６６では、電流は種々の方向へ流れるので、電流によって誘起される磁束は相殺されるため、磁束の発生はほとんどない。このことは、図１８に示した従来の場合と実質的に同様である。また、外部端子電極４８〜５３ならびに６０〜６５の各々の近傍では、電流は、第１の外部端子電極４８〜５３の各々へ向かい、また、第２の外部端子電極６０〜６５の各々から離れる傾向にあるが、略１８０度の広がりをもって図４による左方向へ流れる電流と右方向へ流れる電流とが存在する。そのため、磁束はその大部分が相殺され、その結果、深刻な磁束の発生をもたらすことはない。このことも、図１８に示した従来の場合と実質的に同様である。
　【００３５】
　図４において、図１８に示した従来の場合との大きな違いは、側面３５および３７の各近傍、すなわち、図４による左右の各端部６７にある。これら端部６７においても、第１の外部端子電極５０および５３ならびに第２の外部端子電極６２および６５が設けられているので、際立った電流の流れはなく、他の側面３４および３５の各近傍と同様、深刻な磁束の発生がもたらされることはない。
　【００３６】
　したがって、図１ないし図３に示した積層コンデンサ３１によれば、内部電極４０および４１の中央部６６から端部６７まで全面にわたって磁束が相殺され、ＥＳＬを極めて低く抑えることができる。また、第１の引出電極４２〜４７ないしは第１の外部端子電極４８〜５３の各々と、これらとは極性の異なる第２の引出電極５４〜５９ないしは第２の外部端子電極６０〜６４の各々とは、互いに近くに配置して互いの距離を短くすることができるので、電流長を短くすることができ、このことによっても、これらの間で発生する自己インダクタンス成分は、低くされることができる。
　【００３７】
　図５ないし図７は、この発明
に関連する
　【００３８】
　図５ないし図７は、第１の実施形態を示す図１ないし図３にそれぞれ相当するもので、図５ないし図７において、図１ないし図３に示した要素に相当する要素には同様の参照符号を付し、重複する説明は省略する。この第２の実施形態による積層コンデンサ７１では、第１の内部電極４０ａは、３つの側面３４、３６および３７の各々上にまでそれぞれ引き出される５つの第１の引出電極４２、４３、４５、４６および４７ａを形成している。第１の実施形態による積層コンデンサ３１との相違点を言えば、この積層コンデンサ７１では、側面３５上にまで引き出される引出電極４４に相当する引出電極がなく、側面３７にまで引き出される引出電極４７ａは、側面３７の中央部に引き出され、引出電極４７とはその位置が異ならされている。
　【００３９】
　また、上述の第１の引出電極４２〜４７ａが引き出された３つの側面３４、３６および３７の各々上には、これら５つの第１の引出電極４２〜４７ａに電気的に接続される５つの第１の外部端子電極４８、４９、５１、５２および５３ａがそれぞれ設けられている。第１の実施形態による積層コンデンサ３１との相違点を言えば、この積層コンデンサ７１では、第１の外部端子電極５０に相当する外部端子電極がなく、外部端子電極５３ａは、外部端子電極５３とはその位置が異ならされている。
　【００４０】
　他方、第２の内部電極４１ａは、３つの側面３４〜３６の各々上にまでそれぞれ引き出される５つの第２の引出電極５４、５５、５６ａ、５７および５８を形成している。第１の実施形態による積層コンデンサ３１との相違点を言えば、この積層コンデンサ７１では、側面３７上にまで引き出される引出電極５９に相当する引出電極がなく、側面３５にまで引き出される引出電極５６ａは、側面３７の中央部に引き出され、引出電極５６とはその位置が異ならされている。
　【００４１】
　また、上述の第２の引出電極５４〜５８が引き出された３つの側面３４〜３６の各々上には、これら第２の引出電極５４〜５８に電気的に接続される第２の外部端子電極６０、６１、６２ａ、６３および６４がそれぞれ設けられている。第１の実施形態による積層コンデンサ３１との相違点を言えば、この積層コンデンサ７１では、第２の外部端子電極６５に相当する外部端子電極がなく、外部端子電極６２ａは、外部端子電極６２とはその位置が異ならされている。
　【００４２】
　このような積層コンデンサ７１においても、より大きな容量を得るためには、第１の内部電極４０ａと第２の内部電極４１ａとの対向する部分の数は複数とされ、複数のコンデンサユニットを形成するようにされる。そして、これら複数のコンデンサユニットは、第１の外部端子電極４８〜５３ａおよび第２の外部端子電極６０〜６４の少なくとも一方によって並列接続される。
　【００４３】
　この第２の実施形態によれば、２つの側面３４および３６の各々上において、第１の外部端子電極４８、４９、５１および５２の各々は、第２の外部端子電極６０、６１、６３および６４のいずれかと隣り合うように配置されている。また、側面３５上においては、第２の外部端子電極６２ａのみが位置し、側面３７上においては、第１の外部端子電極５３ａのみが位置しているだけであるが、このように側面３５および３７にも外部端子電極６２ａおよび５３ａをそれぞれ位置させることにより、少なくとも図１５ないし図１７に示した従来の積層コンデンサ１に比べれば、内部電極４０ａおよび４１ａ上での電流の流れをより種々の方向に向けて磁束をより多く相殺することができるとともに、電流長をより短くすることができるので、インダクタンス成分をより低減することができる。
　【００４４】
　図８ないし図１１は、この発明
に関連する
　【００４５】
　図８ないし図１１において、図１ないし図３に示した要素に相当する要素には同様の参照符号を付し、重複する説明は省略する。この第３の実施形態による積層コンデンサ８１は、第１および第２の内部電極４０ｂおよび４１ｂの少なくとも一方に対して特定の誘電体層３９を介して対向する第３の内部電極８２をさらに備えることを特徴としている。この第３の内部電極８２は、２つの側面３４および３６の各々上にまでそれぞれ引き出される４つの第３の引出電極８３、８４、８５および８６を形成している。より詳細には、引出電極８３および８４は、側面３４上にまで引き出され、引出電極８５および８６は、側面３６上にまで引き出されている。
　【００４６】
　また、上述の第３の引出電極８３〜８６が引き出された側面３４および３６の各々上には、これら第１の引出電極８３〜８６に電気的に接続される第３の外部端子電極８７、８８、８９および９０がそれぞれ設けられている。すなわち、外部端子電極８７および８８は、側面３４上において引出電極８３および８４にそれぞれ接続され、外部端子電極８９および９０は、側面３６上において引出電極８５および８６にそれぞれ接続されている。第１の実施形態による積層コンデンサ３１との相違点を言えば、この積層コンデンサ８１では、積層コンデンサ３１における第１の外部端子電極４８および５２が設けられた各位置に第３の外部端子電極８７および９０がそれぞれ設けられ、積層コンデンサ３１における第２の外部端子電極６１および６３が設けられた各位置に第３の外部端子電極８８および８９がそれぞれ設けられている。
　【００４７】
　他方、第１の内部電極４０ｂについては、４つの側面３４〜３７の各々上にまでそれぞれ引き出される４つの第１の引出電極４２ｂ、４４、４５ｂおよび４７を形成している。第１の実施形態による積層コンデンサ３１との相違点を言えば、この積層コンデンサ８１では、側面３４および３６上にまで引き出される引出電極としては、それぞれ１つずつの引出電極４２ｂおよび４５ｂしかない。
　【００４８】
　また、上述の第１の引出電極４２ｂ〜４７が引き出された４つの側面３４〜３７の各々上には、これら４つの第１の引出電極４２ｂ〜４７に電気的に接続される４つの第１の外部端子電極４８ｂ、５０、５１ｂおよび５３がそれぞれ設けられている。第１の実施形態による積層コンデンサ３１との相違点を言えば、この積層コンデンサ８１では、積層コンデンサ３１における第２の外部端子電極６０および６４が設けられた各位置に第１の外部端子電極４８ｂおよび５１ｂがそれぞれ設けられている。
　【００４９】
　また、第２の内部電極４１ｂについては、４つの側面３４〜３７の各々上にまでそれぞれ引き出される４つの第２の引出電極５４ｂ、５６、５７ｂおよび５９を形成している。第１の実施形態による積層コンデンサ３１との相違点を言えばこの積層コンデンサ８１では、側面３４および３６上にまで引き出される引出電極としては、それぞれ１つずつの引出電極５４ｂおよび５７ｂしかない。
　【００５０】
　また、上述の第２の引出電極５４ｂ〜５９が引き出された４つの側面３４〜３７の各々上には、これら４つの第１の引出電極５４ｂ〜５９に電気的に接続される４つの第２の外部端子電極６０ｂ、６２、６３ｂおよび６５がそれぞれ設けられている。第１の実施形態による積層コンデンサ３１との相違点を言えば、この積層コンデンサ８１では、積層コンデンサ３１における第１の外部端子電極４９および５１が設けられた各位置に第２の外部端子電極６０ｂおよび６３ｂがそれぞれ設けられている。
　【００５１】
　この積層コンデンサ８１において、たとえば、第３の内部電極８２、第１の内部電極４０ｂ、第２の内部電極４１ｂの順に積層される。これによって、４つの側面３４〜３７を通して、第３の外部端子電極８７〜９０のいずれか、第１の外部端子電極４８ｂ〜５３のいずれか、および第２の外部端子電極６０ｂ〜６５のいずれか、という同じ配列順序が繰り返される。なお、上述の積層順序は任意に変更することができる。
　【００５２】
　また、積層コンデンサ８１においても、より大きな容量を得るためには、第３の内部電極８２、第１の内部電極４０ｂおよび第２の内部電極４１ｂの各々の対向によって形成されるコンデンサユニットの数が複数とされる。そのため、たとえば、第３の内部電極８２および第１の内部電極４０ｂのみを複数回繰り返して積層したり、第１の内部電極４０ｂおよび第２の内部電極４１ｂのみを複数回繰り返して積層したり、第２の内部電極４１ｂおよび第３の内部電極８２のみを複数回繰り返して積層したり、第３の内部電極８２と第１の内部電極４０ｂと第２の内部電極４１ｂとを複数回繰り返して積層したりすることができる。そして、これら複数のコンデンサユニットは、第３の外部端子電極８７〜９０、第１の外部端子電極４８ｂ〜５３および第２の外部端子電極６０ｂ〜６５の少なくともいずれかによって並列接続される。
　【００５３】
　この第３の実施形態においても、第１の実施形態と同様、互いに異なる内部電極に接続される、すなわち互いに異なる極性を有する外部端子電極が、４つの側面３４〜３７の各々上に位置している。より詳細には、側面３４上においては、第１の外部端子電極４８ｂ、第２の外部端子電極６０ｂならびに第３の外部端子電極８７および８８が位置し、側面３５上においては、第１の外部端子電極５０および第２の外部端子電極６２が位置し、側面３６上においては第１の外部端子電極５１ｂ、第２の外部端子電極６３ｂならびに第３の外部端子電極８９および９０が位置し、側面３７上においては、第１の外部端子電極５３および第２の外部端子電極６５が位置している。
　【００５４】
　したがって、この第３の実施形態によっても、内部電極４０ｂおよび４１ｂ上での電流の流れを種々の方向に向けることによって磁束を効果的に相殺することができるとともに、電流長を短くすることができるので、インダクタンス成分の低減を図ることができる。なお、この第３の実施形態では、第１の実施形態とは異なり、すべての箇所において異なる極性の外部端子電極が互いに隣り合うようには配置されていないが、少なくとも図１５ないし図１７に示した従来の積層コンデンサ１に比べれば、内部電極４０および４１上での電流の流れをより種々の方向に向けることができ、かつ電流長をより短くできるので、インダクタンス成分をより低減することができる。
　【００５５】
　また、第３の実施形態の変形例として、第３の内部電極８２を備えず、第１および第２の内部電極４０ｂおよび４１ｂのみを積層した積層コンデンサとすることもできる。さらに、第３の内部電極８２に、さらに側面３５および３７に引き出される引出電極を形成してもよい。図１２ないし図１４は、この発明
に係る
　【００５６】
　図１２ないし図１４は、第１の実施形態を示す図１ないし図３にそれぞれ相当するもので、図１２ないし図１４において、図１ないし図３に示した要素に相当する要素には同様の参照符号を付し、重複する説明は省略する。この第４の実施形態による積層コンデンサ９１は、第２の実施形態による積層コンデンサ７１と外観的に類似している。第１の内部電極４０ｃは、３つの側面３４、３５および３６の各々上にまでそれぞれ引き出される５つの第１の引出電極４２、４３、４４ｃ、４５ｃおよび４６ｃを形成している。第１の実施形態による積層コンデンサ３１との相違点を言えばこの積層コンデンサ９１では、側面３７上にまで引き出される引出電極４７に相当する引出電極がなく、側面３５および３６にまでそれぞれ引き出される引出電極４４ｃ、４５ｃおよび４６ｃは、引出電極４４〜４６とはその各位置が異ならされている。
　【００５７】
　また、上述の第１の引出電極４２〜４６ｃが引き出された３つの側面３４〜３６の各々上には、これら５つの第１の引出電極４２〜４６ｃに電気的に接続される５つの第１の外部端子電極４８、４９、５０ｃ、５１ｃおよび５２ｃがそれぞれ設けられている。第１の実施形態による積層コンデンサ３１との相違点を言えば、この積層コンデンサ９１では、第１の外部端子電極５３に相当する外部端子電極がなく、外部端子電極５０ｃ、５１ｃおよび５２ｃは、外部端子電極５０〜５２とはその各位置が異ならされている。
　【００５８】
　他方、第２の内部電極４１ｃは、３つの側面３４、３６および３７の各々上にまでそれぞれ引き出される５つの第２の引出電極５４、５５、５７ｃ、５８ｃおよび５９ｃを形成している。第１の実施形態による積層コンデンサ３１との相違点を言えば、この積層コンデンサ９１では、側面３５上にまで引き出される引出電極５９に相当する引出電極がなく、側面３４、３６および３７にまで引き出される引出電極５７ｃ、５８ｃおよび５９ｃは、引出電極５７〜５９とはその各位置が異ならされている。
　【００５９】
　また、上述の第２の引出電極５４〜５９ｃが引き出された３つの側面３４、３６および３７の各々上には、これら第２の引出電極５４〜５９ｃに電気的に接続される第２の外部端子電極６０、６１、６３ｃ、６４ｃおよび６５ｃがそれぞれ設けられている。第１の実施形態による積層コンデンサ３１との相違点を言えば、この積層コンデンサ９１では、第２の外部端子電極６２に相当する外部端子電極がなく、外部端子電極６３ｃ、６４ｃおよび６５ｃは、外部端子電極６３〜６５とはその各位置が異ならされている。
　【００６０】
　このような積層コンデンサ９１においても、より大きな容量を得るためには第１の内部電極４０ｃと第２の内部電極４１ｃとの対向する部分の数は複数とされ、複数のコンデンサユニットを形成するようにされる。そして、これら複数のコンデンサユニットは、第１の外部端子電極４８〜５２ｃおよび第２の外部端子電極６０〜６５ｃの少なくとも一方によって並列接続される。
　【００６１】
　この第４の実施形態では前述した第１の実施形態と同様、４つの側面３４〜３７を通して第１の外部端子電極４８〜５２ｃのいずれかと第２の外部端子電極６０〜６５ｃのいずれかとが交互に配置されている。この点において、第２の実施形態と異なっている。したがって、第４の実施形態によれば、第１の実施形態と同様、内部電極４０ｃおよび４１ｃ上での電流の流れを種々の方向に向けて磁束を効果的に相殺することができるとともに、電流長を短くすることができ、これによって、インダクタンス成分を低減することができる。
　【００６２】
　以上説明した、第１の実施形態に係る積層コンデンサ３１（実施例１）、第２の実施形態に係る積層コンデンサ７１（実施例２）、第３の実施形態に係る積層コンデンサ８１（実施例３）、第４の実施形態に係る積層コンデンサ９１（実施例４）、および従来の積層コンデンサ１（比較例）の各試料を作製し、各々のＥＳＬを評価した。
　【００６３】
　ここで、各試料は、外形平面寸法を３．２ｍｍ×２．５ｍｍとし、内部電極を合計で６つ積層したもの、すなわち、積層コンデンサ３１、７１、９１および１（実施例１、２および４ならびに比較例）のように２種類の内部電極を有するものにあっては、２種類の内部電極の積層を３回繰り返し、積層コンデンサ８１（実施例３）のように３種類の内部電極を有するものにあっては、３種類の内部電極の積層を２回繰り返したものとした。
　【００６４】
　また、ＥＳＬは、共振法によって求めた。共振法とは、各試料となる積層コンデンサについてインピーダンスの周波数特性を測定し、極小点（コンデンサの容量成分ＣＳとＥＳＬとの間の直列共振点と呼ぶ。）の周波数ｆ０から、ＥＳＬ＝１／〔（２πｆ０）２×ＣＳ〕によって、ＥＳＬを求めようとする方法である。
　【００６５】
　各試料のＥＳＬ測定値を以下の表１に示す。
　【００６６】
　【表１】
表１から、実施例１〜４は、いずれも、比較例に比べて、ＥＳＬが低く抑えられ、特に、実施例１は、ＥＳＬの低減に関し、最も優れた効果を示していることがわかる。また、実施例４は、実施例１と比べれば劣るものの、実施例２および３に比べて、ＥＳＬの低減に関し、より優れた効果を示している。
　【００６７】
　以上、この発明を図示した実施形態に関連して説明したが、この発明の範囲内において、たとえば、内部電極の引出電極の位置や数を種々に変更したり、それに応じて、外部端子電極の位置や数を種々に変更したりすることができる。
　【００６８】
　【発明の効果】
　以上のように、この発明によれば、第１および第２の内部電極の少なくとも一方が、コンデンサ本体の４つの側面のうち少なくとも３つの側面の各々上にまでそれぞれ引き出される少なくとも３つの引出電極を形成しており、また、このような引出電極がそれぞれ引き出された側面の各々上に、引出電極にそれぞれ電気的に接続される外部端子電極がそれぞれ設けられているので、内部電極上での電流の流れを種々の方向に向けることによって磁束を効果的に相殺することができるとともに、電流長を短くすることができるので、ＥＳＬを小さくすることができる。
　【００６９】
　したがって、共振周波数を高周波化することができる。このことは、コンデンサとして機能する周波数域が高周波化することを意味し、そのため、この発明に係る積層コンデンサは、電子回路の高周波化に十分対応することができ、たとえば、高周波回路におけるバイパスコンデンサ、デカップリングコンデンサとして有利に用いることができる。また、ＭＰＵ（マイクロプロセッシングユニット）等に使用されるデカップリングコンデンサにあっては、クイックパワーサプライとしての機能（立ち上がり時等、電力が急に必要な時に、コンデンサに充電された電気量から電力を供給する機能）も要求されるが、この発明に係る積層コンデンサは低ＥＳＬであるので、このような用途に向けられたとき、高速性に十分対応することができる。
　【００７０】
　この発明において、以下のような各実施態様は、前述したような磁束の相殺をより高めたり、電流長をより短くしたりして、ＥＳＬの低減により効果的である。第１に、第１および第２の内部電極の双方について、コンデンサ本体の４つの側面のうち少なくとも３つの側面の各々上にまでそれぞれ引き出される少なくとも３つの引出電極を形成しており、また、これら引出電極がそれぞれ引き出された少なくとも３つの側面の各々上に、引出電極にそれぞれ電気的に接続される外部端子電極がそれぞれ設けられている、実施態様である。
　【００７１】
　第２に、上述の第１の実施態様において、第１の内部電極が、４つの側面の各々上にまでそれぞれ引き出される少なくとも４つの第１の引出電極を形成しており、それに伴って、第１の外部端子電極が、第１の引出電極が引き出された４つの側面の各々上に設けられている、実施形態である。第３に、同じく上述の第１の実施態様において、第２の内部電極が、４つの側面の各々上にまでそれぞれ引き出される少なくとも４つの第２の引出電極を形成しており、それに伴って、第２の外部端子電極が、第２の引出電極が引き出された４つの側面の各々上に設けられている、実施態様である。
　【００７２】
　なお、これら第１および第２の内部電極の双方について、上述のような構成が採用されると、一層効果的である。第４に、すべての第１の外部端子電極が、当該第１の外部端子電極が設けられた各側面上において、第２の外部端子電極と隣り合うように配置される、実施態様である。このとき、４つの側面を通して、すべての第１の外部端子電極とすべての第２の外部端子電極とが交互に配置されると、なお効果的である。
　【００７３】
　第５に、第１および第２の内部電極の少なくとも一方の引出電極が、少なくとも１つの側面上の少なくとも２箇所に引き出されている、実施態様である。第６に、すべての外部端子電極が、これに接続される内部電極を共通とする外部端子電極とは隣り合わないように配置されている、実施態様である。第７に、外部端子電極が、４つの側面の各々上にそれぞれ設けられている、実施態様である。
　【００７４】
　また、この発明において、第１および第２の外部端子電極の少なくとも一方によって並列接続された複数のコンデンサユニットを形成するように、第１の内部電極と第２の内部電極との対向する部分の数が複数とされると、積層コンデンサの小型化かつ高容量化に有効である。また、この発明において、第１および第２の内部電極の少なくとも一方に対して特定の誘電体層を介して対向する第３の内部電極をさらに備え、第３の内部電極は、少なくとも２つの側面の各々上にまでそれぞれ引き出される少なくとも２つの第３の引出電極を形成しており、第３の引出電極が引き出された側面の各々上に、第３の引出電極に電気的に接続される第３の外部端子電極がそれぞれ設けられていても、磁束を効果的に相殺することができるとともに、電流長を短くすることができるので、ＥＳＬを小さくする効果を期待できる。
　【００７５】
　上述した実施形態において、すべての第１の外部端子電極とすべての第２の外部端子電極とすべての第３の外部端子電極とが、４つの側面を通して同じ配列順序を繰り返しながら配置されると、磁束をより効果的に相殺することができるとともに、電流長をより短くすることができるので、ＥＳＬをより小さくすることができる。
【図面の簡単な説明】
　【図１】　この発明
に関連する
　【図２】　図１に示した積層コンデンサ３１の内部構造を第１の内部電極４０が通る断面をもって示す平面図である。
　【図３】　図１に示した積層コンデンサ３１の内部構造を第２の内部電極４１が通る断面をもって示す平面図である。
　【図４】　図１に示した積層コンデンサ３１において流れる電流を図解的に示す平面図である。
　【図５】　この発明
に関連する
　【図６】　図５に示した積層コンデンサ７１の内部構造を第１の内部電極４０ａが通る断面をもって示す平面図である。
　【図７】　図５に示した積層コンデンサ７１の内部構造を第２の内部電極４１ａが通る断面をもって示す平面図である。
　【図８】　この発明
に関連する
　【図９】　図８に示した積層コンデンサ８１の内部構造を第３の内部電極８２が通る断面をもって示す平面図である。
　【図１０】　図８に示した積層コンデンサ８１の内部構造を第１の内部電極４０ｂが通る断面をもって示す平面図である。
　【図１１】　図８に示した積層コンデンサ８１の内部構造を第２の内部電極４１ｂが通る断面をもって示す平面図である。
　【図１２】　この発明
に係る
　【図１３】　図１２に示した積層コンデンサ９１の内部構造を第１の内部電極４０ｃが通る断面をもって示す平面図である。
　【図１４】　図１２に示した積層コンデンサ９１の内部構造を第２の内部電極４１ｃが通る断面をもって示す平面図である。
　【図１５】　この発明にとって興味ある従来の積層コンデンサ１の外観を示す平面図である。
　【図１６】　図１５に示した積層コンデンサ１の内部構造を第１の内部電極１０が通る断面をもって示す平面図である。
　【図１７】　図１５に示した積層コンデンサ１の内部構造を第２の内部電極１１が通る断面をもって示す平面図である。
　【図１８】　図１５に示した積層コンデンサ１において流れる電流を図解的に示す平面図である。
　【符号の説明】
３１，７１，８１，９１　積層コンデンサ
３２，３３　主面
３４〜３７　側面
３８　コンデンサ本体
３９　誘電体層
４０，４０ａ，４０ｂ，４０ｃ　第１の内部電極
４１，４１ａ，４１ｂ，４１ｃ　第２の内部電極
４２〜４７，４２ｂ，４４ｃ，４５ｂ，４５ｃ，４６ｃ，４７ａ　第１の引出電極
４８〜５３，４８ｂ，５０ｃ，５１ｂ，５１ｃ，５２ｃ，５３ａ　第１の外部端子電極
５４〜５９，５４ｂ，５６ａ，５７ｂ，５７ｃ，５８ｃ，５９ｃ　第２の引出電極
６０〜６５，６０ｂ，６２ａ，６３ｂ，６３ｃ，６４ｃ，６５ｃ　第２の外部端子電極
８２　第３の内部電極
８３〜８６　第３の引出電極
８７〜９０　第３の外部端子電極